【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
靴の底面に接合されるミッドソール及び当該ミッドソールの底面に接合されると共に複数のブロック意匠を有するアウトソールから構成されている、床面に付着した水や油に対する安全靴又は作業靴用の耐滑靴底であって、前記ミッドソールはアウトソールよりも柔らかい材料で形成され、ゴム、エラストマ、又はプラスチックから選ばれる材料を発泡させたものが用いられ、アウトソールは、ポリウレタン又はゴムから選ばれる比較的硬度の高い材料で形成され、前記ブロック意匠は、先端面が平滑であって側面との間に角が形成されると共に、その側面が座面に対して実質的な垂直面となるように設けられ、且つ当該ブロック意匠の少なくとも前記靴の前後方向の側面の基端部側には、外側に向かって高さが漸小するように張り出した補強部が設けられていることを特徴とする床面に付着した水や油に対する安全靴又は作業靴用の耐滑靴底。
【請求項２】
靴の底面に接合されるミッドソール及び当該ミッドソールの底面に接合されると共に複数のブロック意匠を有するアウトソールから構成されている、床面に付着した水や油に対する安全靴又は作業靴用の耐滑靴底であって、前記ミッドソールはアウトソールよりも柔らかい材料で形成され、ゴム、エラストマ、又はプラスチックから選ばれる材料を発泡させたものが用いられ、アウトソールは、ポリウレタン又はゴムから選ばれる比較的硬度の高い材料で形成され、前記ブロック意匠は、先端面が平滑であって側面との間に角が形成されると共に、その側面が座面に対して実質的な垂直面となるように設けられ且つ当該ブロック意匠の少なくとも前記靴の前後方向の側面の基端部側には、外側に向かって高さが漸小するように張り出した補強部が設けられ、前記補強部の表面が平面となっていることを特徴とする床面に付着した水や油に対する安全靴又は作業靴用の耐滑靴底。
【請求項３】
靴の底面に接合されるミッドソール及び当該ミッドソールの底面に接合されると共に複数のブロック意匠を有するアウトソールから構成されている、床面に付着した水や油に対する安全靴又は作業靴用の耐滑靴底であって、前記ミッドソールはアウトソールよりも柔らかい材料で形成され、ゴム、エラストマ、又はプラスチックから選ばれる材料を発泡させたものが用いられ、アウトソールは、ポリウレタン又はゴムから選ばれる比較的硬度の高い材料で形成され、前記ブロック意匠は、先端面が平滑であって側面との間に角が形成されると共に、その側面が座面に対して実質的な垂直面となるように設けられ、且つ当該ブロック意匠の少なくとも前記靴の前後方向の側面の基端部側には、外側に向かって高さが漸小するように張り出した補強部が設けられ、前記補強部の前記ブロック意匠側の高さが、前記ブロック意匠の高さの２０％以上であることを特徴とする床面に付着した水や油に対する安全靴又は作業靴用の耐滑靴底。
【請求項４】
靴の底面に接合されるミッドソール及び当該ミッドソールの底面に接合されると共に複数のブロック意匠を有するアウトソールから構成されている、床面に付着した水や油に対する安全靴又は作業靴用の耐滑靴底であって、前記ミッドソールはアウトソールよりも柔らかい材料で形成され、ゴム、エラストマ、又はプラスチックから選ばれる材料を発泡させたものが用いられ、アウトソールは、ポリウレタン又はゴムから選ばれる比較的硬度の高い材料で形成され、前記ブロック意匠は、先端面が平滑であって側面との間に角が形成されると共に、その側面が座面に対して実質的な垂直面となるように設けられ且つ当該ブロック意匠の少なくとも前記靴の前後方向の側面の基端部側には、外側に向かって高さが漸小するように張り出した補強部が設けられ、前記補強部の表面が平面となっており、前記補強部の前記ブロック意匠側の高さが、前記ブロック意匠の高さの２０％以上であることを特徴とする床面に付着した水や油に対する安全靴又は作業靴用の耐滑靴底。
【請求項５】
靴の底面に接合されるミッドソール及び当該ミッドソールの底面に接合されると共に複数のブロック意匠を有するアウトソールから構成されている、床面に付着した水や油に対する安全靴又は作業靴用の耐滑靴底であって、前記ミッドソールはアウトソールよりも柔らかい材料で形成され、ゴム、エラストマ、又はプラスチックから選ばれる材料を発泡させたものが用いられ、アウトソールは、ポリウレタン又はゴムから選ばれる比較的硬度の高い材料で形成され、前記ブロック意匠は、先端面が平滑であって側面との間に角が形成されると共に、その側面が座面に対して実質的な垂直面となるように設けられ、且つ当該ブロック意匠の少なくとも前記靴の前後方向の側面の基端部側には、外側に向かって高さが漸小するように張り出した補強部が設けられ、前記補強部表面の座面に対する傾斜角度が３０°〜６０°であることを特徴とする床面に付着した水や油に対する安全靴又は作業靴用の耐滑靴底。
【請求項６】
靴の底面に接合されるミッドソール及び当該ミッドソールの底面に接合されると共に複数のブロック意匠を有するアウトソールから構成されている、床面に付着した水や油に対する安全靴又は作業靴用の耐滑靴底であって、前記ミッドソールはアウトソールよりも柔らかい材料で形成され、ゴム、エラストマ、又はプラスチックから選ばれる材料を発泡させたものが用いられ、アウトソールは、ポリウレタン又はゴムから選ばれる比較的硬度の高い材料で形成され、前記ブロック意匠は、先端面が平滑であって側面との間に角が形成されると共に、その側面が座面に対して実質的な垂直面となるように設けられ且つ当該ブロック意匠の少なくとも前記靴の前後方向の側面の基端部側には、外側に向かって高さが漸小するように張り出した補強部が設けられ、前記補強部の表面が平面となっており、前記補強部表面の座面に対する傾斜角度が３０°〜６０°であることを特徴とする床面に付着した水や油に対する安全靴又は作業靴用の耐滑靴底。
【請求項７】
靴の底面に接合されるミッドソール及び当該ミッドソールの底面に接合されると共に複数のブロック意匠を有するアウトソールから構成されている、床面に付着した水や油に対する安全靴又は作業靴用の耐滑靴底であって、前記ミッドソールはアウトソールよりも柔らかい材料で形成され、ゴム、エラストマ、又はプラスチックから選ばれる材料を発泡させたものが用いられ、アウトソールは、ポリウレタン又はゴムから選ばれる比較的硬度の高い材料で形成され、前記ブロック意匠は、先端面が平滑であって側面との間に角が形成されると共に、その側面が座面に対して実質的な垂直面となるように設けられ、且つ当該ブロック意匠の少なくとも前記靴の前後方向の側面の基端部側には、外側に向かって高さが漸小するように張り出した補強部が設けられ、前記補強部の前記ブロック意匠側の高さが、前記ブロック意匠の高さの２０％以上であり、前記補強部表面の座面に対する傾斜角度が３０°〜６０°であることを特徴とする床面に付着した水や油に対する安全靴又は作業靴用の耐滑靴底。
【請求項８】
靴の底面に接合されるミッドソール及び当該ミッドソールの底面に接合されると共に複数のブロック意匠を有するアウトソールから構成されている、床面に付着した水や油に対する安全靴又は作業靴用の耐滑靴底であって、前記ミッドソールはアウトソールよりも柔らかい材料で形成され、ゴム、エラストマ、又はプラスチックから選ばれる材料を発泡させたものが用いられ、アウトソールは、ポリウレタン又はゴムから選ばれる比較的硬度の高い材料で形成され、前記ブロック意匠は、先端面が平滑であって側面との間に角が形成されると共に、その側面が座面に対して実質的な垂直面となるように設けられ且つ当該ブロック意匠の少なくとも前記靴の前後方向の側面の基端部側には、外側に向かって高さが漸小するように張り出した前記補強部が設けられ、前記補強部の表面が平面となっており、前記補強部の前記ブロック意匠側の高さが、前記ブロック意匠の高さの２０％以上であり、前記補強部表面の座面に対する傾斜角度が３０°〜６０°であることを特徴とする床面に付着した水や油に対する安全靴又は作業靴用の耐滑靴底。
【請求項９】
アウトソールのつま先部及び踵部に、当該つま先部外周に沿った円弧状の肉厚部及び当該踵部外周に沿った円弧状の肉厚部を形成し、当該肉厚部上に前記ブロック意匠と同様の先端面を有する接地ブロックを複数個設けたことを特徴とする請求項１から８いずれか記載の床面に付着した水や油に対する安全靴又は作業靴用の耐滑靴底。